(57)【要約】【課題】  従来の印刷システムにおいては、印刷内容を確認するために標本印刷を実施した場合に、用紙、トナー等を無駄に消費してしまうという課題があり、本発明は、この課題を解決した印刷システムを提供することを目的とする。【解決手段】  本発明は、印刷結果を確認するための標本生成機能及びユーザインタフェースとしてのディスプレイを有する印刷システムにおいて、印刷処理実行中に抽出した標本を、ディスプレイに表示可能とした事を特徴とする。【選択図】  図１
2007152882.tif 000002
【特許請求の範囲】
【請求項１】
印刷結果を確認するための標本生成機能及びユーザインタフェースとしてのディスプレイを有する印刷システムにおいて、印刷処理実行中に抽出した標本を、ディスプレイに表示可能とした事を特徴とする印刷システムの印刷内容確認方法。
【発明の詳細な説明】
【技術分野】
【０００１】
本発明は、印刷システムにおいて、印刷内容を確認する方法に関するものである。
【背景技術】
【０００２】
まず、図３により、従来の印刷システムにおける印刷内容確認方法について説明する。
【０００３】
印刷システム３は、操作パネル６、標本生成論理５を有する印刷装置制御部４、給紙トレイ７、印刷装置８、標本排紙トレイ９及び大容量排紙トレイ１０から構成される。
印刷システム３は、ホスト／印刷システム接続インタフェース２により、ホストコンピュータ１に接続されている。
【０００４】
通常、印刷ジョブは、ホストコンピュータ１より、印刷装置制御部４に送られてページデータに展開された後、給紙トレイ７から搬送された用紙に、印刷装置８において転写され、大容量排紙トレイ１０に排出される。
【０００５】
ここで、ホストコンピュータ１から送信された印刷ジョブがユーザの期待した通りに処理された事を確認する最も一般的な方法は、印刷結果を大容量排紙トレイ１０から取り出し、目視を行う事である。しかし、印刷装置８が高速に動作している場合、動作を継続したまま、大容量排紙トレイ１０から用紙を取り出す事は非常に困難である。
【０００６】
この問題を避ける方法の１つとして、標本印刷がある。これは、印刷ジョブの処理中に、ユーザが操作パネル６から標本生成を指示することで、標本生成論理５が動作し、印刷ジョブ中のページデータを複製して印刷し、これを標本排紙トレイ９に排出する機能である。標本排紙トレイ９への排出が終了した後は、印刷装置８が動作中であっても、標本排紙トレイ９内の用紙は取り出し可能である。従って、ユーザは印刷ジョブの実行を中断することなく、印刷結果を目にする事ができる。
【０００７】
ここで、前記標本印刷により、用紙、トナー等を消費することは避けられない。しかしながら、実際には、用紙への転写結果ではなく、印刷装置制御部４により生成されたページデータを何らかの方法で確認できれば十分とする場合もある。
【０００８】
別の印刷結果確認方法としては、特許文献１、及び２で開示されている方法がある。
【０００９】
また、印刷時に作成されるビットマップイメージを元に画面表示用データを作成する事が特許文献３に記載されている。しかし、（例えば１００ｐｐｍ以上等の）高速印刷に本技術思想を適用することを考えた場合、単純に全てのページを表示すると、ユーザの確認作業が追いつかないことが考えられる。
【００１０】
さらに、全てのページを表示するために表示用データを常時作成する方式では、印刷が高速になればなるほど、プリンタのＣＰＵ処理に負荷が掛かる。この点について、本特許文献３の段落００１７には、状況表示用パネルの画素数が数百×数百ドットレベルであり、印字画素数（数千×数千ドット）に比べて２桁程度レベルが少ないため、画面データ作成状況データをほぼ無視できる時間で表示することができると記載されている。しかしながら、実際には、表示データ作成のためにＣＰＵによって、ビットを間引く作業を行うためには、ページデータ全域をある程度の密度で（少しずつアドレスを飛ばしながら）、最低一度は読む作業が必要となる。ＣＰＵが（キャッシュではなくメイン）メモリを読む場合、ピンポイント（アドレスバスが示している特定のアドレス）の読み出しを行うわけでなく、キャッシュのラインサイズ分、あるいはその整数倍の読み出しが行われることがある。そのため、高速印刷を前提としたケースでは、特許文献３のように「無視できる時間」ということは考えにくい。
【００１１】
また、特許文献３の段落００２０のようにＤＭＡを利用するとした場合にも、ＣＰＵ消費は削減できるものの、ＤＭＡデバイスがページデータを読み出すためにメモリバスを占有する時間を無くすことはできない。
【００１２】
【特許文献１】特開平１０−２８３１３２号公報
【００１３】
【特許文献２】特開２０００−１０２５号公報
【００１４】
【特許文献３】特開平６−２９７８１９号公報
【発明の開示】
【発明が解決しようとする課題】
【００１５】
本発明は、印刷処理実行中における印刷内容確認の為に実施される標本印刷による、用紙、トナー等の消費抑制を目的とする。
【課題を解決するための手段】
【００１６】
上記目的は、印刷システムにユーザインタフェースとしてディスプレイを接続し、標本生成指示発行時、ディスプレイを標本の排出先として選択する手段を有することによって達成される。
【発明の効果】
【００１７】
本発明によれば、標本表示契機入力手段を備えることにより、ユーザが適宜標本を視認でき、さらに標本を表示しないときのＣＰＵ負荷を低減する。
【００１８】
また、標本をディスプレイに表示する事で、用紙、トナー等の消費を抑制することが可能である。
【発明を実施するための最良の形態】
【００１９】
標本の排出先として、ディスプレイを選択可能とすることで、簡便な印刷結果確認方法を実現した。
【実施例】
【００２０】
まず、図２により、本発明の１実施例になる印刷システムの構成を説明する。
【００２１】
印刷システム３は、操作パネル６、標本生成論理５を有する印刷装置制御部４、給紙トレイ７、印刷装置８、標本排紙トレイ９及び大容量排紙トレイ１０から構成される。印刷システム３は、ホスト／印刷システム接続インタフェース２により、ホストコンピュータ１及びディスプレイ１１に接続されている。
【００２２】
また、ホスト／印刷システム接続インタフェース２を介さずに接続可能なディスプレイ１２も利用可能である。
【００２３】
前記のように構成された印刷システムの動作について、図１により説明する。
【００２４】
操作パネルより入力された標本生成指示を検出すると、標本としてページデータを抽出し排出先を選択する画面を表示する。ここで、ディスプレイが選択されると、ページデータをディスプレイに表示し、次に表示内容の確認終了が操作パネルより入力されると、ページデータの表示を終了する。
【産業上の利用可能性】
【００２５】
ディスプレイと印刷システムを物理的に離れた場所に設置し、ある一定周期で自動的に標本生成及びディスプレイへの表示を行う論理を付加すれば、印刷システムの処理状況を遠隔監視するシステムとなる。
【００２６】
さらに、複数の印刷システムが生成した標本を表示できるディスプレイとすることで、印刷システムの集中監視が可能である。
【図面の簡単な説明】
【００２７】
【図１】本発明の１実施例になる標本生成論理のフローチャートである。
【図２】本発明の１実施例になる印刷システムの説明図である。
【図３】従来の印刷システムの説明図である。
【符号の説明】
【００２８】
１はホストコンピュータ、２はホスト／印刷システム接続インタフェース、３は印刷システム、４は印刷装置制御部、５は標本生成論理、６は操作パネル、７は給紙トレイ、８は印刷装置、９は標本排紙トレイ、１０は大容量排紙トレイ、１１，１２はディスプレイ、１００はフローチャートの開始、１０１は標本生成指示検出、１０２は標本抽出、１０３は排出先選択要求表示、１０４はディスプレイ選択による分岐、１０５はディスプレイに表示、１０６は用紙に印刷、１０７は確認終了検出、１０８はディスプレイへの表示終了、１０９はフローチャートの終了である。
【図１】
2007152882.tif 000003
【図２】
2007152882.tif 000004
【図３】
2007152882.tif 000005